(57)【要約】【課題】表示ユニットを電子機器の本体から回転させる際および電子機器の本体に収納する際の撮影者の操作負担を軽減する。【解決手段】ヒンジユニット３０が表示ユニット２０を本体１ａに対して回転自在に軸支すると共に回転軸Ａから離れる第１の方向に表示ユニット２０をスライド可能に保持するデジタルカメラ１において、表示ユニット２０が本体１ａに収納された状態から表示ユニット２０を所定角度回転させると、ヒンジユニット３０の側面カバー６０の凹形状部６０ｂに係止されていた外装カバー２２のフォロワ部２２ｅが凸形状部６０ｃを乗り越えて、ヒンジユニット３０に設けられたトーションバネ３４の付勢力によってフォロワ部２２ｅが側面カバー６０の傾斜部６０ａに沿って下側方向に移動する。【選択図】図６
2015143769.tif 000002
【特許請求の範囲】
【請求項１】
表示装置が本体に取り付けられた電子機器であって、
前記表示装置を前記本体に対して回転自在に軸支すると共に、前記表示装置を軸支する回転軸から離れる第１の方向に前記表示装置をスライド可能に保持するヒンジユニットと、
前記表示装置を前記第１の方向に付勢する付勢部材と、
前記表示装置と前記ヒンジユニットの一方に設けられたフォロワ部と、前記表示装置と前記ヒンジユニットの他方に設けられた傾斜部および凹形状部と、を有し、
前記表示装置が前記収納状態にあるときは、前記付勢部材による付勢力によって前記フォロワ部が前記凹形状部に係止し、前記収納状態にある前記表示装置を前記回転軸を中心として所定角度回転させると、前記フォロワ部の前記凹形状部に対する係止が解除され、前記付勢手段による付勢力によって前記フォロワ部が前記傾斜部を摺動して前記表示装置が前記第１の方向にスライドすることを特徴とする電子機器。
【請求項２】
前記表示装置は、表示部と、前記表示部を覆う外装カバーとを有し、
前記ヒンジユニットは、前記本体と前記表示装置とを可動に連結するプレート部材と、前記プレート部材の側面に取り付けられ、前記表示装置を前記回転軸の回りに回転させたときに外観に露出する側面カバーとを有し、
前記外装カバーに前記フォロワ部が設けられ、
前記側面カバーに前記凹形状部と前記傾斜部とが設けられていることを特徴とする請求項１に記載の電子機器。
【請求項３】
前記側面カバーは、前記凹形状部と前記傾斜部との間に形成された凸形状部を有し、
前記回転軸を中心として前記収納状態にある前記表示装置を所定角度回転させると、前記凹形状部に係止されていた前記フォロワ部が前記凸形状部を乗り越えて前記傾斜部に当接し、前記傾斜部を摺動して前記表示装置が前記第１の方向にスライドすることを特徴とする請求項２に記載の電子機器。
【請求項４】
前記表示装置は、表示部と、前記表示部を覆う外装カバーとを有し、
前記ヒンジユニットは、前記本体と前記表示装置とを可動に連結するプレート部材と、前記プレート部材の側面に取り付けられ、前記表示装置を前記回転軸の回りに回転させたときに外観に露出する側面カバーとを有し、
前記外装カバーに前記凹形状部と前記傾斜部とが設けられ、
前記側面カバーに前記フォロワ部が設けられていることを特徴とする請求項１に記載の電子機器。
【請求項５】
前記外装カバーは、前記凹形状部と前記傾斜部との間に形成された凸形状部を有し、
前記回転軸を中心として前記収納状態にある前記表示装置を所定角度回転させると、前記凹形状部に係止されていた前記フォロワ部が前記凸形状部を乗り越えて前記傾斜部に当接し、前記傾斜部を摺動して前記表示装置が前記第１の方向にスライドすることを特徴とする請求項４に記載の電子機器。
【請求項６】
前記収納状態から前記第１の方向にスライドした状態にあり、且つ、前記フォロワ部が前記傾斜部に当接した状態にある前記表示装置を前記収納状態へ移動させるために更に前記回転軸の回りに回転させると、前記付勢部材による付勢力に抗して、前記フォロワ部が前記傾斜部を摺動し、前記凸形状部を超えて前記凹形状部に係止することにより、前記表示装置が前記収納状態へ移動することを特徴とする請求項３又は５に記載の電子機器。
【発明の詳細な説明】
【技術分野】
【０００１】
本発明は、デジタルカメラや携帯情報端末等の電子機器に関し、特に、電子機器本体に対して可動に取り付けられる液晶ディスプレイ等の表示装置の支持構造に関する。
【背景技術】
【０００２】
デジタルカメラ等の撮像装置では、撮影レンズで撮像素子上に光学像を結像させ、撮像素子により光学像を光電変換し、光電変換により得られる画像信号や画像情報を、例えばＪＰＥＧ等のファイル形式の画像データに圧縮して保存している。一般的に、このような撮像装置の背面には、撮影中の被写体像の確認や撮影された画像の再生表示、撮像装置の各種設定を行うためのメニュー表示等に用いられる液晶ディスプレイ（ＬＣＤ）等の表示部が設けられている。
【０００３】
撮像装置の中には、表示部を含む表示ユニットが撮像装置本体に対して回転するように支持されているものがある（例えば、特許文献１参照）。
【先行技術文献】
【特許文献】
【０００４】
【特許文献１】特開平９−１６３１９１号公報
【発明の概要】
【発明が解決しようとする課題】
【０００５】
図１０は、本体に対して表示ユニットが可動に支持されたデジタルカメラ９０の一例の正面図及び側面図である。図１０（ａ），（ｃ）に示すように、デジタルカメラ９０の本体９１の背面には、表示部９２ａを有する表示ユニット９２が取り付けられている。
【０００６】
デジタルカメラ９０では、図１０（ａ）に示すように、表示ユニット９２を回転軸Ａから離れるように矢印Ｐ方向（延出方向）に引っ張り出して、表示ユニット９２を回転軸Ａ回りに０〜１８０°の角度範囲で回転させることができるようになっている。図１０（ｂ），（ｃ）には、表示ユニット９２を１８０°回転させて、表示部９２ａを本体９１の前方側に向けた状態が示されており、この状態では、撮影者が自身を液晶パネル９２ａで確認しながら撮影を行う、所謂、自分撮りを容易に行うことができる。
【０００７】
ここで、デジタルカメラ９０の本体９１の上面中央部には、外付けのストロボ発光装置や光学式或いは電子式の外付けファインダ等のアクセサリを装着する為のアクセサリシュー９３が配置されている。また、内蔵式のポップアップストロボ９４が本体９１に収容されている部分（本体９１の前方から見て右側の部分）では、前方から見て左側の部分よりも高くなっている。
【０００８】
この場合、表示ユニット９２を矢印Ｐ方向に引っ張り出す（スライドさせる）ことなく回転させると、表示部９２ａの一部が本体９１の上部で隠れてしまうことになる。しかし、デジタルカメラ９０では、表示ユニット９２を矢印Ｐ方向にスライドさせてから回転させることができるようになっているため、撮影者は表示部９２ａの全体を見ることができる。
【０００９】
しかしながら、デジタルカメラ９０の本体９１に収納された状態となっている表示ユニット９２を回転軸Ａ回りに回転させる場合には、スライドと回転の２種類の動作を行う必要がある。また、表示ユニット９２を図１０（ｂ），（ｃ）に図示する状態からデジタルカメラ９０の本体９１に収納する際には、表示ユニット９２を回転させた後、表示ユニット９２を収納位置にスライドさせる必要がある。即ち、表示ユニット９２を回転させる際も、収納する際も２種類の動作を行う必要があり、撮影者にとって煩わしい。
【００１０】
本発明は、表示ユニット（表示装置）を電子機器の本体から回転させる際と電子機器の本体に収納する際の煩わしさを低減することを目的とする。
【課題を解決するための手段】
【００１１】
本発明に係る電子機器は、表示装置が本体に取り付けられた電子機器であって、前記表示装置を前記本体に対して回転自在に軸支すると共に、前記表示装置を軸支する回転軸から離れる第１の方向に前記表示装置をスライド可能に保持するヒンジユニットと、前記表示装置を前記第１の方向に付勢する付勢部材と、前記表示装置と前記ヒンジユニットの一方に設けられたフォロワ部と、前記表示装置と前記ヒンジユニットの他方に設けられた傾斜部および凹形状部と、を有し、前記表示装置が前記収納状態にあるときは、前記付勢部材による付勢力によって前記フォロワ部が前記凹形状部に係止し、前記収納状態にある前記表示装置を前記回転軸を中心として所定角度回転させると、前記フォロワ部の前記凹形状部に対する係止が解除され、前記付勢手段による付勢力によって前記フォロワ部が前記傾斜部を摺動して前記表示装置が前記第１の方向にスライドすることを特徴とする。
【発明の効果】
【００１２】
本発明によれば、表示ユニット（表示装置）を電子機器の本体から回転させる際と電子機器の本体に収納する際の使用者の操作負担を軽減することができる。
【図面の簡単な説明】
【００１３】
【図１】本発明の第１実施形態に係る撮像装置の一例であるデジタルカメラの正面側斜視図及び背面側斜視図である。
【図２】デジタルカメラの背面側の分解斜視図と、デジタルカメラが備えるフレキシブル配線板の概略構造を示す平面図である。
【図３】デジタルカメラが備えるヒンジユニットの分解斜視図である。
【図４】デジタルカメラにおいて表示ユニットが収納位置にあるときの背面側斜視図と、表示ユニットを収納位置から回転軸Ａ回りに回転させたときの状態を示す背面側斜視図である。
【図５】デジタルカメラにおいて表示ユニットが図４（ｂ）の状態からさらに回転させた状態にあるときの背面側斜視図と、表示ユニットを収納位置から回転軸Ｂ回りに回転させたときの状態を示す背面側斜視図である。
【図６】デジタルカメラの本体の背面側斜視図と、背面側斜視図中の矢視Ｃ−Ｃ断面図である。
【図７】表示ユニットが図４（ｂ）に図示する状態となったときにおける、図６（ａ）の背面側斜視図中の矢視Ｃ−Ｃ断面図と、表示ユニットが図５（ｂ）に図示する状態となったときにおける、図６（ａ）の背面側斜視図中の矢視Ｃ−Ｃ断面図である。
【図８】第２実施形態に係るデジタルカメラに適用されるヒンジユニットの構造を示す断面図である。
【図９】第３実施形態に係るデジタルカメラの背面側斜視図と、背面側斜視図中の矢視Ｄ−Ｄ断面図であって、このデジタルカメラが備える表示ユニットが第２の位置にあるときの回転軸Ａの周辺の構造を示す断面図である。
【図１０】本体に対して表示ユニットが可動に支持されたデジタルカメラの一例を示す正面図及び側面図である。
【発明を実施するための形態】
【００１４】
以下、本発明の実施形態について、添付図面を参照して詳細に説明する。ここでは、本発明に係る電子機器として、所謂、コンパクトタイプのデジタルカメラを取り上げることとする。
【００１５】
＜第１実施形態＞
図１（ａ）は、本発明の第１実施形態に係るデジタルカメラ１の正面側斜視図である。また、図１（ｂ）は、デジタルカメラ１の背面側斜視図である。図１（ａ）に示すように、デジタルカメラ１の本体１ａの正面には、鏡筒ユニット２が配置されている。
【００１６】
なお、鏡筒ユニット２は沈胴式のズームレンズであり、デジタルカメラ１が撮影不能状態（電源オフ状態）になると、鏡筒ユニット２が沈胴し、被写体側のレンズはレンズバリア２ａによって保護された状態となる。
【００１７】
デジタルカメラ１の本体１ａの正面側から見て右上方には、内蔵式のポップアップストロボ３が設けられている。一方、デジタルカメラ１の本体１ａの正面側から見て左側の上面には、レリーズボタン４が配置されている。
【００１８】
レリーズボタン４の外周には、回転操作型のズームレバー５が設けられている。デジタルカメラ１の本体１ａの正面側から見てズームレバー５の右側には、電源ボタン６が配置されている。また、電源ボタン６の両隣りには、本体１ａに内蔵したマイク（不図示）に音声を取り込むマイク穴７が設けられている。
【００１９】
デジタルカメラ１の本体１ａの正面側から見てズームレバー５の左側には、モード設定ダイヤル８が配置されている。
【００２０】
デジタルカメラ１の本体１ａの上面中央部には、外付けのストロボ発光装置や外付けの電子ファインダ等のアクセサリを装着する為のアクセサリシュー１０が設けられている。なお、図１の各図には、アクセサリシュー１０の内部のコネクタを保護するためのシューカバー１０ａが取り付けられた状態が示されている。外付けのストロボ発光装置等のアクセサリをアクセサリシュー１０に装着する際には、シューカバー１０ａを本体１ａの背面側へスライドさせて取り外した後、アクセサリのコネクタ部を背面側から正面側へスライドさせてアクセサリシュー１０に装着する。
【００２１】
デジタルカメラ１の本体１ａの下面には、電池蓋９が配置されている。デジタルカメラ１の本体１ａの側面には、信号入出力端子（不図示）が設けられており、信号入出力端子はジャックカバー１１によって覆われて保護されている。
【００２２】
図１（ｂ）に図示するように、デジタルカメラ１の本体１ａの背面には、被写体像の確認を行う表示装置としての可動式の表示ユニット２０が設けられている。表示ユニット２０は、表示部２１を有し、本体１ａに密着した収納状態と図１０に示したデジタルカメラ９０と同様に本体１の正面側に表示部２１が向いた状態との間で、略１８０°回転自在となっている。なお、表示部２１には、撮影した画像の再生表示およびデジタルカメラ１の各種設定を行うためのメニュー表示を行うことができる。
【００２３】
図１（ｂ）に図示するように、デジタルカメラ１の本体１ａの背面には、複数の操作ボタンからなる操作ボタン群１２が設けられている。
【００２４】
次に、デジタルカメラ１における表示ユニット２０及びその周辺構造について説明する。図２（ａ）は、デジタルカメラ１の背面側の分解斜視図である。表示部２１は、保護窓、静電容量方式等のタッチパネル及び液晶パネルで構成されており、その外形に沿って形成されたロの字形の両面テープ２３によって外装カバー２２に接着される。なお、液晶パネルは有機ＥＬパネル等の表示パネルであってもよい。外装カバー２２に対する表示部２１の組み付け方向とは逆の方向から外装カバー２２に対して背面遮光カバー２４が組み付けられる。
【００２５】
背面遮光カバー２４には、フレキシブル配線板２５（以下、フレキ板２５）を通過させる開口部２４ａが形成されており、開口部２４ａ以外の部位は、表示部２１の４辺を覆い、表示部２１に対する遮光と補強の役割を担っている。また、背面遮光カバー２４には、表示部２１と背面遮光カバー２４とを接着する両面テープ２６が複数箇所に貼り付けられている。両面テープ２６は、ロの字形の両面テープ２３の接着面積を広く取ることができず、また、厚さを厚くすることができない等の理由から設けられているもので、表示部２１の浮き上がり防止や剥がれ防止を補助する役割を担っている。表示ユニット２０は、ヒンジユニット３０を介して本体１ａの背面側に回転自在に軸支される。
【００２６】
表示ユニット２０は、外装カバー２２に形成された凹部に収納されて、接着固定された磁場発生手段としてのマグネット２７を有する。マグネット２７は、本体１ａ内に配置された磁気センサ（不図示）がマグネット２７の位置を検出することにより、本体１ａに対する表示ユニット２０の状態を検出することができる。磁気センサには、例えば、巨大磁気抵抗（Giant Magnet Resistance:ＧＭＲ）素子や半導体ホール素子が用いられる。本実施形態では、磁気センサにＧＭＲ素子を用い、ＧＭＲ素子が検出する磁気の値に閾値を設定し、マグネット２７の位置によって変化する磁気の値に応じて表示部２１に表示される画像の上下を反転させる。
【００２７】
表示ユニット２０の回転操作の詳細については後述する。図１（ｂ）の状態にある表示ユニット２０を図１０（ｂ）に示す状態となるように回転させたときの回転角度が予め定められた所定の角度を超えたことが検出される。このとき、表示部２１に表示される画像（映像）の上下反転が行われる。表示ユニット２０の回転角度がこの所定角度から略１８０°までの間にあるときには、上下反転された画像（映像）表示状態が維持され、この状態では、表示部２１は、概ね、デジタルカメラ１の正面側を向く。つまり、撮影方向と表示画面の方向が同一方向になるため、撮影者が自分自身を撮影する、所謂、自分撮り撮影に適した状態が維持される。
【００２８】
図２（ｂ）は、フレキ板２５の概略構造を示す平面図である。フレキ板２５は、表示部２１の背面側に配置され、その裏面側が両面テープ（不図示）によって表示部２１に貼り付けられて固定される。フレキ板２５には、表示部２１を駆動させる駆動回路２５ｇ及びコネクタ２５ａ，２５ｂが実装されている。コネクタ２５ａ，２５ｂには、表示部２１から引き出されるフレキ板（不図示）が接続される。フレキ板２５においてコネクタ２５ａ，２５ｂが実装されている側の反対側には、本体１ａの内部に配置された主基板（不図示）と接続される接続端子部２５ｃが形成されている。フレキ板２５は、コネクタ２５ａ，２５ｂ及び接続端子部２５ｃを介して、本体１ａの内部に配置された主基板（不図示）と表示部２１との間で各種の信号の伝達を行う。
【００２９】
フレキ板２５は、第１の折り返し部２５ｄ、第２の折り返し部２５ｅ及び第３の折り返し部２５ｆにて、折り返された状態で表示ユニット２０の内部に収容されている。
【００３０】
図３は、ヒンジユニット３０の分解斜視図である。ヒンジユニット３０は、互いに平行な２つのヒンジ回転軸を備える。本実施形態では、これら２つのヒンジ回転軸のうち、図３中で上方に配置されるヒンジ回転軸を「回転軸Ａ」と定義し、図３中で下方に配置されるヒンジ回転軸を「回転軸Ｂ」と定義する。
【００３１】
図３に図示するように、スタンドプレート３８，３９は、本体部１ａの下側の左右それぞれにビスで締結され、スタンドプレート３８，３９の立ち壁部には、回転軸Ｂと同軸となるように孔部３８ｂ，３９ｂが設けられている。本体１ａと表示ユニット２０とは、本体１ａと一体となるスタンドプレート３８，３９を介してベースプレート３１（第１のプレート部材）によって可動に連結される。そして、ベースプレート３１に対して、アームプレート３２（第２のプレート部材）が、ベースプレート３１に重ね合わせられるように可動に連結される。
【００３２】
図３に図示するように、ベースプレート３１の両端の立ち壁部にはそれぞれ、一対の側面カバー６０，６１が、上下２本のビス６３で締結される。側面カバー６０，６１は、表示ユニット２０を本体１ａに対して動かすと外観に露出する準外観部品であり、そのため、塗装或いは表面シボ加工が施されており、また、回転軸Ｂのカシメ加工痕を覆い隠すように形成されている。
【００３３】
側面カバー６０，６１にはそれぞれ、カム部として傾斜部６０ａ，６１ａと凹形状部６０ｂ，６１ｂとが形成されている。傾斜部６０ａ，６１ａは、本体１ａに表示ユニット２０を収納する際に表示ユニット２０の外装カバー２２のフォロワ部２２ｅ（図６〜図８参照）に当接し、収納時に作用する押圧力によってフォロワ部２２ｅがトレースする面となる。そのため、傾斜部６０ａ，６１ａは、摺動面として、シボ加工等の凹凸のない鏡面仕上げとなっている。
【００３４】
本体１ａに表示ユニット２０が収納される際には、外装カバー２２のフォロワ部２２ｅが凹形状部６０ｂ，６１ｂに係合することにより、表示ユニット２０が本体１ａに保持される。
【００３５】
図３に図示するように、支持ピン４０が、スペーサワッシャ４４、スタンドプレート３８に設けられた孔部３８ｂ、ベースプレート３１に設けられた回転軸孔３１ｂ１及びクリックプレート４２に挿通され、カシメ固定される。同様に、支持ピン４１が、スペーサワッシャ４５、スタンドプレート３９に設けられた孔部３９ｂ、ベースプレート３１に設けられた回転軸孔３１ｂ２及びクリックプレート４３に挿通され、カシメ固定される。これにより、ベースプレート３１は、スタンドプレート３８，３９に対して、回転軸Ｂ回りに回転自在に連結される。ベースプレート３１がクリックプレート４２，４３から回転摩擦抵抗力を受けることで、表示ユニット２０は所定角度の回転位置で摩擦保持される。
【００３６】
図３に図示するように、支持ピン４６が、カバー部材２８、スペーサワッシャ５１、アームプレート３２に設けられた回転軸孔３２ａ１、ベースプレート３１に設けられた回転軸孔３１ａ１及びクリックプレート４８に挿通され、カシメ固定される。同様に、支持ピン４７が、カバー部材２９、スペーサワッシャ５０、アームプレート３２に設けられた回転軸孔３２ａ２、ベースプレート３１に設けられた回転軸孔３１ａ２及びクリックプレート４９に挿通され、カシメ固定される。これにより、アームプレート３２は、ベースプレート３１に対して回転軸Ａ回りに回転自在に連結される。アームプレート３２がクリックプレート４８，４９から回転摩擦抵抗力を受けることで、表示ユニット２０は所定角度の回転位置で摩擦保持される。アームプレート３２には、フレキカバー７０が取り付けられている。フレキカバー７０は、低摩擦な摺動性に優れる樹脂、例えば、ポリアセタール（ＰＯＭ）やポリアミド（ＰＡ）等からなる。
【００３７】
カバー部材２８，２９は、外装カバー２２の切り欠き部からヒンジユニット３０の一部が外観に露出しないように覆い隠す部材であるため、カバー部材２８，２９の外観への露出部には、外装カバー２２と同じ表面処理又はシボ加工が施される。
【００３８】
図３に図示するように、スライドプレート３３（第３のプレート部材）の両端にはそれぞれ、略コの字形のスライダ部材５２が固定され、アームプレート３２の両方の端面３２ｂがそれぞれスライダ部材５２に摺動するように係合される。つまり、スライドプレート３３は、スライダ部材５２を介してアームプレート３２に対してスライド可能に保持される。スライダ部材５２は、低摩擦な摺動性に優れる樹脂、例えば、ポリアセタール（ＰＯＭ）やポリアミド（ＰＡ）等からなる。また、アームプレート３２の両方の端面３２ｂには、摩擦を小さくする表面処理やオイル（グリス）塗布がなされており、これにより摺動性が高められている。
【００３９】
図３に図示するように、アームプレート３２に形成された凹形状部３２ｃには、トーションバネ３４が配置されている。トーションバネ３４の各端部は、アームプレート３２とスライドプレート３３のそれぞれにカシメ加工により設けられた係止ピン３５，３６に係止されている。これにより、トーションバネ３４は、アームプレート３２に対してスライドプレート３３を常に矢印Ｓ方向（図３参照）に付勢する付勢部材として機能する。
【００４０】
図３に図示するように、アームプレート３２の凹形状部３２ｃと重なる領域には、ベースプレート開口部３１ｃとスライドプレート開口部３３ｃとが設けられている。これにより、トーションバネ３４は、ベースプレート３１及びスライドプレート３３と厚さ方向で重なり合うことがないため、ヒンジユニット３０の薄型化を図ることができる。また、トーションバネ３４が伸縮してもベースプレート３１と接触することがなく、スライドプレート３３とも接触しない。
【００４１】
図３に図示するように、スライドプレート３３には、ストッパ部材３７が固定されている。スライドプレート３３をスライドさせると、所定量移動したときに、ストッパ部材３７がアームプレート３２にカシメ固定された係止ピン３５と当接する。これにより、スライドプレート３３のスライドが制限される。ストッパ部材３７は、例えば、ポリアセタール（ＰＯＭ）やポリアミド（ＰＡ）等の樹脂が用いられ、これにより衝突音の軽減と、良好な耐摩耗性の確保が図られている。
【００４２】
図３に図示するように、アームプレート３２の凹形状部３２ｃには、アームプレート３２とスライドプレート３３との電気的接続を確保するためのグランドプレート５５が、取り付けられている。グランドプレート５５は、バネ性を有する接点部５５ａを有する。グランドプレート５５は、接点部５５ａがスライドプレート３３のスライド範囲内で常にスライドプレート３３と接触するように配置されている。図２（ａ）に図示した表示ユニット２０は、スライドプレート３３に取り付けられている。
【００４３】
図４（ａ）は、表示ユニット２０がデジタルカメラ１の本体１ａに収納された状態にあるときのデジタルカメラ１の背面側斜視図である。図４（ａ）に図示するように、表示ユニット２０が本体１ａに収納されているときの表示ユニット２０の位置を、以下、「第１の位置」と定義する。この状態では、外装カバー２２のフォロワ部２２ｅが、側面カバー６０，６１に形成される凹形状部６０ｂ，６１ｂにそれぞれ係合する。
【００４４】
表示部２１は外装カバー２２によって覆われている。外装カバー２２の上部及び下部にはそれぞれ、突起形状部２２ａ及び窪み形状部２２ｂが形成されている。突起形状部２２ａ及び窪み形状部２２ｂはそれぞれ、表示ユニット２０を回転させる際に、指掛かりとして機能する。外装カバー２２において、突起形状部２２ａの両脇（外装カバー２２の上部両端近傍）には、切り欠き部２２ｃが設けられており、カバー部材２８，２９の一部が切り欠き部２２ｃから露出する。カバー部材２８，２９の露出部には、外装カバー２２と同じ表面処理又はシボ加工が施されている。
【００４５】
図４（ｂ）は、デジタルカメラ１の本体１ａに対して表示ユニット２０を回転軸Ａ回りに回転させるために、表示ユニット２０を第１の位置（収納位置）から移動させたときのデジタルカメラ１の背面側斜視図である。図４（ａ）に図示する第１の位置から表示ユニット２０を回転軸Ａ回りに回転させる際には、外装カバー２２に形成された窪み形状部２２ｂに指を掛け、表示ユニット２０の下側を撮影者側に引き出す。このとき、外装カバー２２のフォロワ部２２ｅと側面カバー６０，６１に形成される凹形状部６０ｂ，６１ｂとの係合が外れ、ヒンジユニット３０のトーションバネ３４が表示ユニット２０に作用する。外装カバー２２のフォロワ部２２ｅと凹形状部６０ｂ，６１ｂとの係合が外れると、外装カバー２２のフォロワ部２２ｅが側面カバー６０，６１に形成される傾斜部６０ａ，６１ａ上をそれぞれ摺動する。このとき、スライドプレート３３に固定されたストッパ部材３７がアームプレート３２に固定された係止ピン３５に当接するまで、スライドプレート３３がアームプレート３２に対してスライドする。これによって、表示ユニット２０は下側に向けて、所定量（所定距離）スライドする。
【００４６】
図５（ａ）は、表示ユニット２０を図４（ｂ）に図示する状態から回転軸Ａ回りにさらに回転させた状態にあるときのデジタルカメラ１の背面側斜視図である。図５（ａ）に図示する状態では、表示ユニット２０の表示部２１が本体１ａの正面側を向いている。この状態は、所謂、自分撮り撮影に適した状態であり、この状態にあるときの表示ユニット２０の位置を「第２の位置」と定義する。なお、表示部２１が本体１ａの正面側を向く回転の途中で、前述のＧＭＲ素子がマグネット２７の位置を検出して画面表示の切り替えスイッチが動作し、表示部２１に表示される画像（映像）の上下が反転する。
【００４７】
図５（ｂ）は、表示ユニット２０を図４（ａ）の第１の位置から回転軸Ｂ回りに所定角度（ここでは略４５°）回転させた状態のデジタルカメラ１の背面側斜視図である。表示ユニット２０を構成する外装カバー２２の上部に設けられた突起形状部２２ａに指を掛ける等して、回転軸Ｂ回りに表示ユニット２０を回転させることができる。
【００４８】
図６（ａ）は、デジタルカメラ１の本体１ａの背面側斜視図であり、表示ユニット２０が第１の位置（本体１ａに収納された収納位置）にある状態を示している。図６（ｂ）は、図６（ａ）の背面側斜視図中の矢視Ｃ−Ｃ断面図である。
【００４９】
外装カバー２２のフォロワ部２２ｅは、側面カバー６０の傾斜部６０ａの上方に形成された凹形状部６０ｂに係合されている。表示ユニット２０が本体１ａに収納される際には、外装カバー２２のフォロワ部２２ｅは、凹形状部６０ｂと傾斜部６０ａとの間に形成される凸形状部６０ｃを乗り越えて凹形状部６０ｂと係合している。ヒンジユニット３０のトーションバネ３４が表示ユニット２０を下側方向に付勢しているため、外装カバー２２のフォロワ部２２ｅと凹形状部６０ｂとの係合が維持される。なお、側面カバー６１については、側面カバー６０と同様であるため、その説明を省略する。
【００５０】
図７（ａ）は、表示ユニット２０が図４（ｂ）に図示する状態となったときにおける、図６（ａ）の背面側斜視図中の矢視Ｃ−Ｃ断面図である。
【００５１】
ここで、デジタルカメラ１の使用者が、表示ユニット２０を図５（ａ）に図示する状態から図４（ａ）に図示する状態へ収納する動作を説明する。デジタルカメラ１の使用者は、図５（ａ）に図示する状態から、表示ユニット２０を図５（ａ）に図示する状態まで回転軸Ａ回りに回転させる。このとき、図７（ａ）に図示するように、外装カバー２２のフォロワ部２２ｅが側面カバー６０の傾斜部６０ａに当接する。この後、デジタルカメラ１の使用者が、表示ユニット２０を回転軸Ａ回りにさらに回転させると、外装カバー２２のフォロワ部２２ｅが、トーションバネ３４の付勢力に抗して傾斜部６０ａを摺動する。これによって、外装カバー２２は矢印Ｑ方向（上側）にスライドする。その後、フォロワ部２２ｅは、凹形状部６０ｂと傾斜部６０ａとの間に形成された凸形状部６０ｃを乗り越えて凹形状部６０ｂに係合し、これにより、表示ユニット２０は第１の位置にて保持される。
【００５２】
なお、表示ユニット２０を第１の位置から第２の位置へ移行させるために表示ユニット２０を所定角度回転させると、側面カバー６０の凹形状部６０ｂに係止されていた外装カバー２２のフォロワ部２２ｅが凸形状部６０ｃを乗り越える。このとき、トーションバネ３４の付勢力によって、外装カバー２２のフォロワ部２２ｅが側面カバー６０の傾斜部６０ａを摺動して下側方向に移動する。つまり、表示ユニット２０を収納状態から所定角度回転させると、表示ユニット２０の収納状態が解除されて、表示ユニット２０は図４（ｂ）に図示する状態となる。
【００５３】
図７（ｂ）は、表示ユニット２０が図５（ｂ）に図示する状態となったときにおける、図６（ａ）の背面側斜視図中の矢視Ｃ−Ｃ断面図である。表示ユニット２０は、ベースプレート３１と一体的にスタンドプレート３８に対して回転軸Ｂを中心として回転可能であり、図７（ｂ）には、表示ユニット２０を４５°の角度回転させた状態が示されている。
【００５４】
側面カバー６０は、ベースプレート３１にビス６３で締結されているため、ベースプレート３１と一体的に回転する。なお、ヒンジユニット３０のトーションバネ３４は表示ユニット２０を下側（回転軸Ｂ側）に押圧しているため、表示ユニット２０はヒンジユニット３０に対してスライドしない。また、側面カバー６１については、側面カバー６０と同様であるため、その説明を省略する。
【００５５】
第１実施形態では、表示ユニット２０を回転させるだけで、表示ユニット２０を収納することができる。
【００５６】
＜第２実施形態＞
第１実施形態では、表示ユニット２０にフォロワ部２２ｅを設け、ヒンジユニット３０に、フォロワ部２２ｅが摺動する傾斜部６０ａ，６１ａと、フォロワ部２２ｅが係合する凹形状部６０ｂ，６１ｂとを設けることでカム部を形成した。しかし、表示ユニット２０とヒンジユニット３０の一方にフォロワ部を設け、他方にフォロワ部が摺動する傾斜部とフォロワ部が係合する凹形状部を設けることでカム部を構成すればよい。そこで、第２実施形態では、ヒンジユニット３０にフォロワ部を設け、表示ユニット２０にフォロワ部が摺動する傾斜部とフォロワ部が係合する凹形状部を設けることでカム部を構成する。
【００５７】
図８を参照して、第２実施形態に係るデジタルカメラに適用されるヒンジユニット３０ａについて説明する。ヒンジユニット３０ａは、ヒンジユニット３０の第１の変形例であり、第１実施形態に係るデジタルカメラ１と第２実施形態に係るデジタルカメラとではヒンジユニットの構造のみが異なるため、その相違点についてのみ説明を行う。なお、ヒンジユニット３０ａの構成部品であってヒンジユニット３０の構成部品と同等のものについては、同じ符号を付して以下の説明を行う。
【００５８】
図８は、第２実施形態に係るデジタルカメラに適用されるヒンジユニット３０ａの構造を示す断面図である。図８（ａ）は、表示ユニット２０がデジタルカメラの本体に収納された状態（第１の位置にある状態）におけるヒンジユニット３０ａの断面図であり、図６（ｂ）に示した矢視Ｃ−Ｃ断面図と同じ視点で描画されている。
【００５９】
側面カバー６０は、ヒンジユニット３０ａのベースプレート３１に対して上下２本のビス６３で螺着されている。側面カバー６０は、表示ユニット２０をデジタルカメラの本体に対して動かすことで外観に露呈する準外観部品であるため、外観を損なわないように塗装又は表面シボ加工が施される。また、側面カバー６０はフォロワ部６０ｅを備える。一方、外装カバー２２には、凹形状部２２ｆと傾斜部２２ｇとからなるカム部が形成されている。
【００６０】
表示ユニット２０が第１の位置にあるとき、側面カバー６０のフォロワ部６０ｅは、表示ユニット２０の外装カバー２２の下側に形成された凹形状部２２ｆと係合する。表示ユニット２０が第１の位置にあるとき、側面カバー６０のフォロワ部６０ｅが外装カバー２２の凹形状部２２ｆと傾斜部２２ｇの間に形成される凸形状部２２ｈを乗り越えて凹形状部２２ｆと係合する。
【００６１】
また、ヒンジユニット３０ａのトーションバネ３４が表示ユニット２０を下側方向に付勢しているため、外装カバー２２の凸形状部２２ｈが側面カバー６０のフォロワ部６０ｅを超えることはない。よって、表示ユニット２０がデジタルカメラの本体から容易に脱落し或いは外れることはない。なお、側面カバー６１については、側面カバー６０と同様であるため、その説明を省略する。
【００６２】
図８（ｂ）は、表示ユニット２０を回転軸Ａ回りに所定角度回転させた状態におけるヒンジユニット３０ａの断面図である。図８（ｂ）は、図７（ａ）に示した矢視Ｃ−Ｃ断面図と同じ視点で、表示ユニット２０を第２の位置から第１の位置へ移行させる途中で、外装カバー２２の傾斜部２２ｇが側面カバー６０のフォロワ部６０ｅに当接した状態が示されている。
【００６３】
このとき、表示ユニット２０を本体に収納する際に作用する押圧力によって、傾斜部２２ｇに沿って下側方向に付勢しているトーションバネ３４の付勢力に抗して、外装カバー２２の傾斜部２２ｇが矢印Ｒ方向（上側）にスライドする。なお、外装カバー２２の傾斜部２２ｇは摺動面であるため、シボ加工等の凹凸のない鏡面仕上げとなっている。その後、側面カバー６０のフォロワ部６０ｅが外装カバー２２の凹形状部２２ｆと傾斜部２２ｇとの間に形成された凸形状部２２ｈを乗り越え、凹形状部２２ｆに係合することとなる。なお、側面カバー６１については、側面カバー６０と同様であるため、その説明を省略する。
【００６４】
図８（ｃ）は、表示ユニット２０を回転軸Ｂ回りに所定角度（ここでは、４５°）回転させた状態におけるヒンジユニット３０ａの断面図であり、図７（ｂ）に示した矢視Ｃ−Ｃ断面図と同じ視点で描画されている。表示ユニット２０は、ベースプレート３１と一体的に、スタンドプレート３８に対して回転軸Ｂを中心として回転可能である。側面カバー６０は、ベースプレート３１にビス６３で螺着されているため、ベースプレート３１と一体的に４５°回転する。
【００６５】
なお、ヒンジユニット３０ａのトーションバネ３４は表示ユニット２０を下側（回転軸Ｂ側）に押圧しているため、ヒンジユニット３０に対して表示ユニット２０はスライドしない。また、側面カバー６１については、側面カバー６０と同様であるため、その説明を省略する。
【００６６】
第２実施形態では、表示ユニット２０を回転させるだけで、表示ユニット２０を収納することができる。
【００６７】
＜第３実施形態＞
図９を参照して、第３実施形態に係るデジタルカメラ１Ｂについて説明する。デジタルカメラ１Ｂは、ヒンジユニット３０の第２の変形例であるヒンジユニット３０ｂを備える。第１実施形態に係るデジタルカメラ１と第３実施形態に係るデジタルカメラ１Ｂとではヒンジユニットの構造のみが異なるため、その相違点についてのみ説明を行う。なお、ヒンジユニット３０ｂの構成部品であってヒンジユニット３０の構成部品と同等のものについては、同じ符号を付して以下の説明を行う。
【００６８】
図９（ａ）は、第３実施形態に係るデジタルカメラ１Ｂの背面側斜視図であり、表示ユニット２０がデジタルカメラ１Ｂの本体１ｂに収納された状態（第１の位置にある状態）を示している。デジタルカメラ１Ｂでは、ヒンジユニット３０ｂが備えるトーションバネ３４の付勢力が逆方向に機能しており、よって、表示ユニット２０を常に回転軸Ａに向けて矢印Ｔ方向（上側）に付勢している。
【００６９】
図９（ｂ）は、第２実施形態に係るデジタルカメラ１Ｂの背面側斜視図であり、表示ユニット２０を本体１ｂに収納された状態（第１の位置にある状態）から１８０°回転させた状態（第２の位置にある状態）を示している。表示ユニット２０が第２の位置にあるとき、トーションバネ３４の付勢力によって、表示ユニット２０は、図９（ａ）の矢印Ｔ方向とは逆向きの矢印−Ｔ方向（下側）に付勢されている。なお、表示ユニット２０が、回転軸Ａに向けて付勢されていることに変わりは無い。
【００７０】
図９（ｃ）は、図９（ｂ）中の矢視Ｄ−Ｄ断面図であり、ヒンジユニット３０ｂの回転軸Ａの周辺構造を示している。表示ユニット２０を第１の位置から第２の位置へ向けて回転軸Ａ回りに回転させると、先ず、表示ユニット２０の外装カバー２２に設けられたフォロワ部２２ａが、デジタルカメラ１Ｂの本体１ｂ側に設けられたカム部６４に乗り上げる。その後、外装カバー２２のフォロワ部２２ａが本体１ｂ側のカム部６４上を摺動することにより、表示ユニット２０は矢印Ｕ方向（上側方向）にスライド移動した状態となる。これにより、表示ユニット２０の液晶表示部２１の下側がアクセサリシュー１０やポップアップストロボ３と重ならないようにすることができる。一方、表示ユニット２０を第２の位置から第１の位置へと動かすと、外装カバー２２のフォロワ部２２ａが本体１ｂ側のカム部６４に沿って戻ることで、表示ユニット２０はヒンジユニット３０ｂのトーションバネ３４の付勢力によって元の位置に復帰する。
【００７１】
第３実施形態では、表示ユニット２０を回転させるだけで、表示ユニット２０を収納することができる。
【００７２】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、ヒンジユニット３０をコンパクトタイプのデジタルカメラ１に適用したが、これに限られるものではない。例えば、本実施形態に係るヒンジユニット３０の構造は、デジタル一眼レフカメラ、デジタルビデオカメラ等の他の撮像装置や携帯情報端末等の他の電子機器に適用することができる。
【符号の説明】
【００７３】
１    デジタルカメラ（撮像装置）
１ａ    本体
２０    表示ユニット
２１    液晶表示部
２２    外装カバー
２２ｅ    フォロワ部
３０    ヒンジユニット
３１    ベースプレート
３２    アームプレート
３３    スライドプレート
３４    トーションバネ
６０，６１    側面カバー
６１ａ，６１ｂ    傾斜部
【図１】
2015143769.tif 000003
【図２】
2015143769.tif 000004
【図３】
2015143769.tif 000005
【図４】
2015143769.tif 000006
【図５】
2015143769.tif 000007
【図６】
2015143769.tif 000008
【図７】
2015143769.tif 000009
【図８】
2015143769.tif 000010
【図９】
2015143769.tif 000011
【図１０】
2015143769.tif 000012